【手続補正書】
【提出日】令和1年12月12日(2019.12.12)
【手続補正１】
【補正対象書類名】特許請求の範囲
【補正対象項目名】全文
【補正方法】変更
【補正の内容】
【特許請求の範囲】
【請求項１】
手袋の装着の順序の開始を容易にする搬送アセンブリと、
前記手袋の装着の順序のために手袋装着システムを配置する際、前記搬送アセンブリと協働する軌道セットと、
前記装着の順序ために前記軌道セットと協働する一対の把持アセンブリと、
前記手袋の装着の順序のために前記把持アセンブリを水平に配置する滑動アセンブリと、
手袋と手袋挿入カードを含む複数の手袋アセンブリと、を含み、
前記手袋挿入カードが、前記手袋の外側に配置された露出部及び前記手袋内に配置された挿入部を含み、
前記露出部が、内部に画定された少なくとも１つのアラインメント構造を含み、
前記手袋装着システムが、前記アラインメント構造を係合する少なくとも１つの軌道セットを含み、
前記装着の順序の間、前記搬送アセンブリが、前記複数の手袋アセンブリを前記把持アセンブリに向かって輸送する、手袋装着システム。
【請求項２】
前記搬送アセンブリが、リフタースクリューの回転によって前記手袋アセンブリを正しい位置に移動させるために協働する、リフタースクリューモーターと、リフタースクリューギアと、前記リフタースクリューと、を含む、請求項１に記載の手袋装着システム。
【請求項３】
前記搬送アセンブリ及び／または前記把持アセンブリ及び前記滑動アセンブリが、各前記手袋アセンブリを回収するために移動する、請求項１に記載の手袋装着システム。
【請求項４】
前記搬送アセンブリが、対向する手袋挿入カード端構造と協働する、一対の対向するコンベヤベルトを含む、請求項１に記載の手袋装着システム。
【請求項５】
前記軌道セットが平滑な表面を有し、前記複数の手袋アセンブリが重力により装着位置に移動する、請求項１に記載の手袋装着システム。
【請求項６】
前記少なくとも１つのアラインメント構造が一対の対向端である、請求項１に記載の手袋装着システム。
【請求項７】
前記搬送アセンブリが、挟み部を上昇させたり下降させたりする、少なくとも１つのアクチュエーターを含み、前記手袋と前記手袋挿入カードの間に前記挟み部を挿入させる、請求項１に記載の手袋装着システム。
【請求項８】
前記一対の把持アセンブリのそれぞれが把持部と挟み部を含み、前記装着の工程の間、前記挟み部が前記挟み部と前記把持部の間の前記手袋を捕捉し、前記一対の把持アセンブリが前記手袋に向かって回転して手袋カフを形成し、前記手袋挿入カードが放出される、請求項１に記載の手袋装着システム。
【請求項９】
前記一対の把持アセンブリが、ユーザーに手袋開口部を提供するために離れて、それによって前記手袋への前記ユーザーの手の挿入を容易にする、請求項８に記載の手袋装着システム。
【請求項１０】
前記滑動アセンブリが、同じハウジング内の複数の手袋ボックスから前記手袋を取り出して処理するように構成される、それぞれ駆動された横行滑動部を含む、請求項１に記載の手袋装着システム。
【請求項１１】
同じハウジング内で作動する前記滑動アセンブリと前記把持アセンブリの複数のセットが、同じ装着の順序内で複数の前記手袋を取り出して処理するように構成される、請求項１に記載の手袋装着システム。
【請求項１２】
ハウジングと、近位端で前記ハウジングに接続するカードアライメントアセンブリと、遠位端に配置された少なくとも１つのカードアラインメントバー及び少なくとも２つのカードアラインメントバーコネクタと、を更に含み、
前記手袋挿入カードが、周囲部及び前記周囲部に沿って配置される基準点を含み、前記カードアラインメントバーコネクタが前記基準点上にまたはその近くに配置され、それによって前記手袋の装着の順序の間、前記手袋挿入カードの適切な配向を維持する、請求項１に記載の手袋装着システム。
【請求項１３】
手袋装着の内容物を収容するハウジングを更に含み、
前記内容物は、前記複数の手袋アセンブリと、前記搬送アセンブリと、前記滑動アセンブリと、前記一対の把持アセンブリと、前記手袋装着の内容物を消毒する紫外線光と、を含む、請求項１の手袋装着システム。
【請求項１４】
前記搬送アセンブリが、挿入アクチュエーターと、リフタースクリューに接続する第１端及び前記挿入アクチュエーターに接続する第２端を有するリフターアーム軸と、を更に含み、作動するとき、前記リフターアーム軸の前記第１端が前記リフタースクリューを昇降させるように、前記挿入アクチュエーターが前記リフターアーム軸の前記第２端を移動させる、請求項１に記載の手袋装着システム。
【請求項１５】
前記滑動アセンブリが、ユーザーに向かって及びそれから離れる方向に前記一対の把持アセンブリを移動させる第１の滑動アセンブリと、前記ユーザーに対して横断方向に前記一対の把持アセンブリを移動させる第２の滑動アセンブリと、を含む、請求項１に記載の手袋装着システム。
【請求項１６】
前記滑動アセンブリが、ユーザーに向かって及びそれから離れる方向に、ならびに前記ユーザーに対して横断方向に前記一対の把持アセンブリを移動させる、関節アームを含む、請求項１に記載の手袋装着システム。
【請求項１７】
ハウジングと、
内部に配置した複数の手袋アセンブリを有する手袋ボックスと、
装着順序のための位置に前記複数の手袋アセンブリを輸送する搬送アセンブリと、
ユーザーに向かって及びそれから離れる方向に水平に前記複数の手袋アセンブリを配置する前後滑動アセンブリと、
前記ユーザーに対して水平横方向に前記複数の手袋アセンブリを配置する横方向滑動アセンブリと、
前記複数の手袋アセンブリから前記手袋アセンブリを取り外して、装着のための前記手袋アセンブリを準備する、一対の把持アセンブリと、を含み、
前記手袋アセンブリが手袋と手袋挿入カードとを含み、
前記手袋挿入カードが、内部に画定された少なくとも１つのアラインメント開孔を含み、
前記手袋ボックスが、前記手袋アセンブリを整列させるために前記手袋挿入カードの前記アラインメント開孔を通過して延在する、少なくとも１つ手袋アセンブリアラインメント取り付け具を含む、手袋装着システム。
【請求項１８】
前記搬送アセンブリが、前記手袋アセンブリを前記ハウジング内に入れる間、前記手袋アセンブリアラインメント取り付け具を受容する軌道セットを含む、請求項１７に記載の手袋装着システム。
【請求項１９】
前記手袋アセンブリアラインメント取り付け具がはずされて、前記手袋アセンブリが適切な位置の軌道セット上に移動するのを可能にする、請求項１７に記載の手袋装着システム。
【請求項２０】
手袋装着システムを起動させることと、
左右の把持アセンブリと協働しやすい位置に手袋アセンブリを配置することと、
前記手袋アセンブリに向かって前記左右の把持アセンブリを配置することと、
前記手袋アセンブリに向かって前記左右の把持アセンブリを移動することと、
前記左右の把持アセンブリの挟み部と前記手袋アセンブリの前面を係合することと、
前記手袋アセンブリの手袋と手袋挿入カードの間に前記挟み部を挿入することと、
前記左右の把持アセンブリの前記挟み部と把持部の間に前記手袋を挟むことと、
前記左右の把持アセンブリを回転させて、それによって前記手袋挿入カードを前記手袋から取り出すことと、
前記左右の把持アセンブリを更に回転させて、それによって前記手袋の手袋カフを形成することと、
前記左右の把持アセンブリ及び前記手袋を装着位置までほぼ水平方向に広げることと、
前記左右の把持アセンブリが完全に停止したとき、ユーザーの手を前記手袋の開口部を通って前記手袋内に挿入することと、
前記手袋をした手を前記手袋装着システムから取り出すことと、を含む、手袋装着の方法。
【請求項２１】
前記手袋アセンブリの手袋と手袋挿入カードの間に前記挟み部を挿入する前に、前記方法が、リフターロッドを上昇させて、それによって前記手袋アセンブリを上昇させることと、前記手袋と前記手袋挿入カードの間に前記挟み部を挿入させることと、を更に含み、
前記手袋挿入カードを前記手袋から取り出す前に、前記方法が、前記左右の把持アセンブリを前記手袋装着システムの前側に向かって移動させて、それによって前記手袋挿入カードを前記リフターロッドからはずすことと、前記左右の把持部と前記挟み部を下向き方向から水平な方向まで上げることと、前記左右の把持アセンブリを前記手袋に向かって回転させることと、を更に含む、請求項２０に記載の方法。
【請求項２２】
前記把持アセンブリを回転させて、それによって前記手袋の手袋カフを形成する前に、前記方法が、前記左右の把持アセンブリを、それが前記手袋装着システムの前側に向かい合うまで、前記手袋に向かって回転させ、それによってその工程中に前記手袋にカフを形成することと、を更に含み、
前記左右の把持アセンブリ及び前記手袋を装着位置までほぼ水平方向に広げる前に、前記方法が、前記左右の把持アセンブリを前記手袋から離れる反対方向に横方向に移動して、前記手袋カフに張力を生じさせることと、十分な張力が前記手袋カフで得られた際、前記挟み部を前記把持部から離れる方向に移動することと、を更に含む、請求項２０に記載の方法。